(57)【要約】【課題】複数系統の信号を選択的に切り替えて送出する系統切替装置において、システムの大規模化を回避する。【解決手段】系統切替装置１０において、異常検出部１５ａ〜１５ｄを切替器１２ａ、１２ｂ又は切替器１２ａ、１２ｂの後段に位置する信号処理装置１３ａ〜１３ｄに具備させ、異常検出部１５ａ〜１５ｄによる異常検出の信号に基づき制御装置１６が切替器１２ａ、１２ｂにより信号の送出系統を切り替えるようにしている。また、切替器１２ａ、１２ｂを手動で切り替えたときには、制御装置１６が、異常検出部１５ａ〜１５ｄに対し、異常検出動作の停止信号を与え、手動による切替時点から前記切替器の出力信号の乱れが安定し、異常を検出しなくなるまでの期間が経過すると、異常検出停止を解除する旨の信号を通達するようにしている。【選択図】      図１
2008072220.tif 000002
【特許請求の範囲】
【請求項１】
複数系統の信号を切替器にて選択的に切り替えて送出する系統切替装置において、
前記切替器の出力信号の異常を検出する異常検出手段と、
この異常検出手段による検出結果に基づいて、前記切替器を制御して送出系統を切り替える制御手段と
を具備したことを特徴とする系統切替装置。
【請求項２】
前記制御手段は、前記切替器に対し手動で送出系統の切り替えが行われた場合、手動による切替時点から、前記切替器の出力信号の乱れが安定し、異常を検出しなくなるまでの期間、前記異常検出手段の異常検出動作を停止することを特徴とする請求項１記載の系統切替装置。
【請求項３】
複数系統の信号を切替器にて選択的に切り替えて送出する系統切替装置において、
前記切替器の入力信号の異常を検出する異常検出手段と、
この異常検出手段による検出結果に基づいて、前記切替器を制御して送出系統を切り替える制御手段と
を具備したことを特徴とする系統切替装置。
【請求項４】
複数系統の信号を切替器にて選択的に切り替えて送出する系統切替方法において、
前記切替器の出力信号の異常を検出する異常検出ステップと、
この異常検出ステップでの検出結果に基づいて、前記切替器を制御して送出系統を切り替える制御ステップと
を具備したことを特徴とする系統切替方法。
【請求項５】
前記制御ステップは、前記切替器に対し手動で送出系統の切替が行われた場合、手動による切替時点から、前記切替器の出力信号の乱れが安定し、異常を検出しなくなるまでの期間、前記異常検出手段の異常検出動作を停止することを特徴とする請求項４記載の系統切替方法。
【請求項６】
複数系統の信号を切替器にて選択的に切り替えて送出する系統切替方法において、
前記切替器の入力信号の異常を検出する異常検出ステップと、
この異常検出ステップでの検出結果に基づいて、前記切替器を制御して送出系統を切り替える制御ステップと
を具備したことを特徴とする系統切替方法。
【発明の詳細な説明】
【技術分野】
【０００１】
本発明は、例えば複数系統のデジタル放送信号を選択的に切り替えて送出する系統切替装置及びその方法に関する。
【背景技術】
【０００２】
従来より、放送送出設備にあっては、機器の故障対策及び保守のために、現用・予備の二重化構成とすることが一般的となっている（二重化システム）。
【０００３】
上記二重化システムでは、現用・予備切替時に生じるＴＳ（Ｔｒａｎｓｐｏｒｔ  Ｓｔｒｅａｍ）の破綻を防ぐ手法を講じる必要があり、その一手法として、現用系及び予備系それぞれに設けられるエンコーダにてＴＳを一旦２系統に分配し、各系の後段に設けられる切替器にてエンコーダで分配された２系統のＴＳを切替導出する手法が考えられる（例えば特許文献１）。
【特許文献１】特開２０００−２６９８６４公報
【発明の開示】
【発明が解決しようとする課題】
【０００４】
ところで、上記二重化システムにおいて、現用としている系に障害が発生した場合に、なるべく短時間に正常な他の系に切り替える必要がある。この場合、切替器の前段に位置する各スタジオ機器に自機器の障害や自機器で処理する信号の障害を検出するための専用の検知器を設置し、切替器を切替制御する制御装置に各検知器による検出結果を通知することにより、切替器にて自動で他の系に切り替える手法が考えられる。
【０００５】
しかし、上記手法では、各スタジオ機器に設置される検知器から制御装置への異常検出結果を通知するための通信回線を確保しなければならず、その分システム規模の増大につながってしまうことになる。
【０００６】
そこで、この発明の目的は、システムの規模を抑えた上で、送出中の系統に障害が発生した場合に、即座に正常な他の系統に切り替えることができる系統切替装置及び系統切替方法を提供することにある。
【課題を解決するための手段】
【０００７】
上記目的を達成するため、本発明は、複数系統の信号を切替器にて選択的に切り替えて送出する系統切替装置において、前記切替器の出力信号の異常を検出する異常検出手段と、この異常検出手段による検出結果に基づいて、前記切替器を制御して送出系統を切り替える制御手段とを具備する。
【０００８】
このようにして、切替器の出力側に異常検出部を備え、この異常検出部の検出結果を切替器の制御手段に通知するようにしている。
【０００９】
特に、前記制御手段は、前記切替器に対し手動で送出系統の切り替えが行われた場合、手動による切替時点から、前記切替器の出力信号の乱れが安定し、異常を検出しなくなるまでの期間、前記異常検出手段の異常検出動作を停止する。
【００１０】
このようにして、系統を手動で切り替えたときに生じる信号の乱れや途切れに対して、異常検出手段の異常検出動作が反応しないようにする。
【００１１】
また、本発明は、複数系統の信号を切替器にて選択的に切り替えて送出する系統切替装置において、前記切替器の入力信号の異常を検出する異常検出手段と、この異常検出手段による検出結果に基づいて、前記切替器を制御して送出系統を切り替える制御手段とを具備する。
【００１２】
このようにして、切替器の入力側に異常検出部を備え、この異常検出部の検出結果を切替器の制御手段に通知するようにしている。
【発明の効果】
【００１３】
本発明では、切替器の近傍に異常検出部を備え、この異常検出部の検出結果を切替器の制御手段に通知するようにしているので、従来考えられていたように切替器の前段に位置する各スタジオ機器に異常検出部を設ける場合に比べ、各スタジオと切替器の制御手段との間に異常検出結果を通知するための通信回線を敷く必要がない分、システムを小規模に抑えることができる。また、異常検出部が切替器の近くに位置することで、異常系統を即座に正常な系統に切り替えることができる。したがって、本発明によれば、システムの大規模化を回避し、送出中の系統に障害が発生した場合に、即座に正常な系統に切り替えることのできる系統切替装置及びその方法を提供することができる。
【発明を実施するための最良の形態】
【００１４】
以下、図面を参照しながら本発明の実施の形態について説明する。
【００１５】
（第１の実施形態）
図１は、本発明の第１の実施形態に係る、系統切替装置１０の構成を示すブロック図である。
【００１６】
図１に示すシステムは、例えば、放送の分野で用いられ、分配器１１ａと、切替器１２ａと、信号処理装置１３ａ、１３ｂとから成る現用系と、分配器１１ｂと、切替器１２ｂと、信号処理装置１３ｃ、１３ｄとから成る予備系とを備える二重化構成のシステムである。また、本実施形態では、ＴＳ信号に異常が発生したときの対策として、現用系及び予備系に設置された信号処理装置１３ａ〜１３ｄに、異常検出部１５ａ〜１５ｄをそれぞれ具備させている。当該異常検出部１５ａ〜１５ｄは、切替器１２ａ、１２ｂと共に制御装置１６に接続されている。
【００１７】
現用系及び予備系それぞれにおいて、映像、音声及びデータ等のＴＳ信号は、分配器１１ａ、１１ｂで分配される。そして、分配器１１ａ、１１ｂからそれぞれ出力されるＴＳ１信号及びＴＳ２信号は、切替器１２ａにより選択的に切り替えられ、信号処理装置１３ａ、１３ｂへ伝送される。信号処理装置１３ａ、１３ｂへ伝送されたＴＳ１信号及びＴＳ２信号は、異常検出部１５ａ、１５ｂにより信号に異常があるか否かを判定され、その結果に基づき、制御装置１６は切替器１２ａの切替制御を行う。
【００１８】
より具体的には、例えば信号処理装置１３ａへＴＳ１信号が伝送され、異常検出部１５ａがＴＳ１信号における異常を検出したときには、異常検出部１５ａは、その旨の信号を制御装置１６へ通達し、制御装置１６はこの信号を受け、切替器１２ａにより、ＴＳ１信号の系統からＴＳ２信号の系統へ切り替える。こうすることで、信号処理器１３ａには正常なＴＳ２信号が伝送され、異常の検出されたＴＳ１信号は信号処理器１３ｂへ伝送されることになる。この後、異常検出部１５ｂがＴＳ１信号における異常を検出しなくなると、異常検出部１５ｂは、その旨の信号を制御装置１６へ通達する。この信号を受け、制御装置１６は、切替器１２ａにより、信号処理器１３ａへ伝送される信号をＴＳ２信号の系統からＴＳ１信号の系統へ再び切り替え、ＴＳ１信号が信号処理器１３ａに伝送されるようにする。
【００１９】
一方、保守作業等を行う場合、ＴＳ信号の系統の切り替えを手動で行うと、その切り替えにより生じる信号の乱れや途切れを、異常検出部１５ａ、１５ｂが異常であると検出してしまい、再び系統を自動で切り替えてしまうことがある。
【００２０】
この場合、制御装置１６は、系統の切り替えを手動で行う際に、手動による切替時点から、切り替えを原因とした信号の乱れや途切れが回復するまでの期間、異常検出部１５ａ、１５ｂの異常検出動作を停止するようにしている。
【００２１】
次に、上記構成における動作について図２を参照して説明する。
【００２２】
図２は、系統切替装置１０の制御装置１６が異常検出部１５ａ、１５ｂの異常検出動作を停止するときの処理動作を示すフローチャートである。
【００２３】
まず、信号処理装置１３ａにＴＳ１信号が伝達されているときに、保守作業を行うため、保守員が切替器１２ａを手動で操作し、ＴＳ１信号の系統からＴＳ２信号の系統へ切り替えたとする。このとき、切替器１２ａは制御装置１６へ手動切替信号を通達する。
【００２４】
制御装置１６は、切替器１２ａからの手動切替信号の有無をモニタし（ステップＳＴ２ａ）、手動切替信号があった場合には、異常検出部１５ａ、１５ｂに異常検出停止信号を通達する（ステップＳＴ２ｂ）。この信号により、異常検出部１５ａ、１５ｂは異常検出動作を停止する。そして、切り替えによる信号の乱れが安定し、異常として検出しなくなる期間が経過すると、制御装置１６は、異常検出部１５ａ、１５ｂへ異常検出停止を解除する旨の信号を通達し（ステップＳＴ２ｃ）、異常検出の停止を解除させる。この信号により、異常検出部１５ａ、１５ｂは、再び異常の検出を行う。
【００２５】
なお、上記説明では、１つの切替器１２ａについて説明したが、この実施形態では、さらに切替器１２ｂが備えられている。この切替器１２ｂは、切替器１２ａと同様に、分配器１１ａ、１１ｂそれぞれから出力されるＴＳ１信号とＴＳ２信号とを選択的に切り替えるもので、切替器１２ａに対し補完もしくは代替として機能する。
【００２６】
以上のように、上記第１の実施形態では、切替器１２ａより後段に位置する信号処理装置１３ａ、１３ｂがその内部に異常検出部１５ａ、１５ｂをそれぞれ具備しており、異常検出部１５ａ、１５ｂによる異常検出の結果に基づいて、制御装置１６は切替器１２ａによりＴＳ信号の系統を自動で切り替える。また、制御装置１６は、系統の切り替えを手動で行うときに、手動で切り替えた時点から、切り替えを原因とした信号の乱れや途切れが回復するまでの期間、異常検出器１５ａ、１５ｂの異常検出動作を停止する。
【００２７】
したがって、切替器１２ａより後段に位置する異常検出器１５ａ、１５ｂによりＴＳ信号の異常を検出することで、切替器１２ａの前段に位置する各スタジオ機器に設置された検知器から異常検出結果を受信するための通信回線を確保する必要がなく、これにより、システムの大規模化の回避を行うことが可能である。また、切替器１２ａが手動で切り替えられたとき異常検出器１５ａ、１５ｂによる異常検出動作を停止するため、保守作業等に対応することが可能である。
【００２８】
（第２の実施形態）
図３は、本発明の第２の実施形態に係る、系統切替装置１０の構成を示すブロック図である。なお、図３において、図１と同一部分には同一符号を付して示し、ここでは重複する説明を省略する。
【００２９】
本実施形態における系統切替装置では、ＴＳ信号に障害が発生したときの対策として、切替器１２ａ、１２ｂは、信号の入力側に異常検出部１５ａ〜１５ｄを具備している。当該異常検出部１５ａ〜１５ｄは、切替器１２ａ、１２ｂと共に制御装置１６と接続している。
【００３０】
現用系及び予備系それぞれにおいて、ＴＳ信号は、分配器１１ａ、１１ｂで２系統に分配される。そして、分配器１１ａ、１１ｂそれぞれから出力されるＴＳ１信号及びＴＳ２信号は、切替器１２ａに設置された異常検出部１５ａ、１５ｂにより異常があるか否かを判定され、その判定結果に基づき、選択的に信号処理装置１３ａ又は１３ｂへ伝送される。
【００３１】
また、切替器１２ｂは、切替器１２ａと同様に、分配器１１ａ、１１ｂそれぞれから出力されるＴＳ１信号とＴＳ２信号とを選択的に切り替えるもので、切替器１２ａに対し補完もしくは代替として機能する。
【００３２】
以上のように、上記第２の実施形態では、切替器１２ａが、その内部に異常検出部１５ａ、１５ｂを具備しており、これらが異常を検出すると、その旨を制御装置１６へ通知することで、制御装置１６は切替器１２ａによりＴＳ信号の系統を自動で切り替える。
【００３３】
したがって、切替器１２ａの入力端の異常検出器１５ａ、１５ｂによりＴＳ信号の異常を検出し、切替器１２ａの制御を行うため、切替器１２ａの前段に位置する各スタジオ機器に設置される検知器から異常検出結果を受信するための通信回線を確保する必要がなく、システムの大規模化の回避を行うことが可能である。
【００３４】
（その他の実施形態）
なお、この発明は上記各実施形態に限定されるものではない。例えば、上記各実施形態では、切替器の後段に信号処理装置を設置しているが、これに限るものではない。また、信号処理装置に異常検知部を設ける以外に、切替器の出力端に異常検出部を設けるようにしても上記第１の実施形態と同様の作用効果が得られる。
【００３５】
その他、システムの構成や、各構成要素の種類等についてもこの発明の要旨を逸脱しない範囲で種々変形して実施できる。
【図面の簡単な説明】
【００３６】
【図１】本発明の第１の実施形態に係る、系統切替装置の構成を示すブロック図。
【図２】系統切替装置の制御装置が異常検出部の異常検出動作を停止するときの処理動作を示すフローチャート。
【図３】本発明の第２の実施形態に係る、系統切替装置の構成を示すブロック図。
【符号の説明】
【００３７】
１０…系統切替装置、１１ａ、１１ｂ…分配器、１２ａ、１２ｂ…切替器、１３ａ〜１３ｄ…信号処理装置、１５ａ〜１５ｄ…異常検出部、１６…制御装置。
【図１】
2008072220.tif 000003
【図２】
2008072220.tif 000004
【図３】
2008072220.tif 000005